(57)【要約】【課題】  電気温水器のシール用部品を削減でき、メンテナンス時等に外部配管を外す場合に嵌合部やネジ孔部分から電気温水器内へ水が流れ込んで電装部へ水が付着し漏電する問題を防止できる電気温水器を提供する。【解決手段】  ヒータを内蔵し、このヒータによって加熱された温水を貯える貯湯タンクと、この貯湯タンクを収納したケーシングと、前記貯湯タンクの入水部および吐出部にそれぞれ連通した給水口および出湯口を、前記ケーシングの上面から突出して設けた温水器において、前記給水口および出湯口が突出した近傍が集水路となるよう一段低く構成する。【選択図】  図４
2008057928.tif 000002
【特許請求の範囲】
【請求項１】
ヒータを内蔵し、このヒータによって加熱された温水を貯える貯湯タンクと、この貯湯タンクを収納したケーシングと、前記貯湯タンクの入水部および吐出部にそれぞれ連通した給水口および出湯口を、前記ケーシングの上面から突出して設けた電気温水器において、前記ケーシングの上面において、前記給水口および出湯口が突出した近傍が集水路となるよう一段低く構成されていることを特徴とする電気温水器。
【請求項２】
前記集水路の底面には、水の流れを誘導するよう勾配がつけられていることを特徴とする請求項１記載の電気温水器。
【請求項３】
前記集水路における前記勾配の最底部にリブが設けられており、このリブの一部が切欠かれていることにより前記集水路にたまった水が前記電気温水器の外部に排水されることを特徴とする請求項２記載の電気温水器。
【発明の詳細な説明】
【技術分野】
【０００１】
本発明は、電気温水器に係り、特に洗面所などに設置される小型の電気温水器に関する発明である。 
【背景技術】
【０００２】
従来の電気温水器として、給水や出湯等の配管接続部を電気温水器の上面に備えたものが知られている(例えば、特許文献１参照)。配管接続部が電気温水器の側面にある場合には、その配管接続部が設けられた側面と反対側に給水源や水栓が位置している場合、これら給水源，水栓と配管接続部を繋ぐ外部配管を電気温水器を迂回するように引き回す必要があったが、このように配管接続部を電気温水器の上面に備えた場合には、給水源や水栓が電気温水器の左右何れの位置にある場合でも電気温水器を迂回することなく対応することができ、外部配管をスッキリとした状態で施工できるというメリットがある。
【０００３】
しかし、電気温水器の上面に配管接続部が位置しているため、メンテナンス時に外部配管を外す際にその配管内の残水が上面に流れ落ちて溜まり、その水が電気温水器内部へ浸入する恐れがある。そのため、従来の上面に配管接続部を設けた電気温水器においては、電気温水器の上面を構成する上面ケーシング全体におけるシール性を高める必要があり、そのために、上面ケーシングにおける配管接続部の周囲はもちろん、その上面ケーシングと他ケーシングとの嵌合部や部材固定のためにネジ孔といった全てにシール用のパッキン等の部品を設置しておく必要があった。
【０００４】
【特許文献１】特開２００４−２８６３５７号
【発明の開示】
【発明が解決しようとする課題】
【０００５】
本発明は、上記問題を解決するためになされたもので、本発明の課題は、電気温水器のシール用部品を削減でき、メンテナンス時等に外部配管を外す場合に嵌合部やネジ孔部分から電気温水器内へ水が流れ込んで電装部へ水が付着し漏電する問題を防止できる電気温水器を提供することである。
【課題を解決するための手段】
【０００６】
上記目的を達成するために請求項１記載の発明によれば、ヒータを内蔵し、このヒータによって加熱された温水を貯える貯湯タンクと、この貯湯タンクを収納したケーシングと、前記貯湯タンクの入水部および吐出部にそれぞれ連通した給水口および出湯口を、前記ケーシングの上面から突出して設けた温水器において、前記給水口および出湯口が突出した近傍が集水路となるよう一段低く構成することにより、前記メンテナンス時等に給水口や出湯口に接続された外部配管を外す場合に残水が流出したとしても、その水は一段低い集水路の範囲に限定して集水することができ、他ケーシングとの嵌合部や部材固定のためにネジ孔には流れるこが防止でき、これら他ケーシングとの結合部や部材固定のためにネジ孔から電気温水器内へ水が流れ込み、電装部へ水が付着し漏電する問題を防止することが可能とした。
【０００７】
また、請求項２記載の発明によれば、前記集水路の底面には、水の流れを誘導するよう勾配がつけられていることにより、集水路の端部に水が集まることにより、集水路における給水口や出湯口が突出している近傍に水が溜まった状態となることを防止でき、給水口，出湯口と上面ケーシングとの間の隙間から電気温水器内部へ水が浸入する可能性を下げることが可能である。
【０００８】
また、請求項３記載の発明によれば、前記集水路における前記勾配の最底部にリブが設けられており、このリブの一部が切欠かれていることにより前記集水路にたまった水が前記電気温水器の外部に排水されるため、集水路に集められた水を切欠かれた位置から排出することができ、前記メンテナンス時や外部配管を外す場合に電気温水器内へ水が流れ込み、電装部へ水が付着し漏電する問題を防止することを可能とした。
【発明の効果】
【０００９】
本発明によれば、メンテナンス時に給水口や出湯口に接続された外部配管が取り外され、その外部配管中に溜まっていた水がケーシングの上面に落ちたとしても、水は集水路に集まるため、集水路以外に位置する他ケーシングとの嵌合部や部材固定のためにネジ孔には水浸入防止のためのパッキン等のシール部材を追加する必要を無くすことができる。
【発明を実施するための最良の形態】
【００１０】
以下、本発明の実施形態を、図面により詳細に説明する。
図１に本発明に関わる電気温水器の施工形態を示す。
【００１１】
電気温水器１１は、洗面器１０に設置された水栓１３に水またはお湯を提供する。
電気温水器１１は、先止め式であり、温水生成時に発生する膨張水を排出するサブ排水管１４と、壁面Ｗに突設された給水源としての止水栓１５に接続された給水管１６と、壁面Ｗに配置されたコネクタ１７に接続された電源コード１８と、水栓１３に接続された出水管１９及び出湯管２０とを有している。
なお、サブ排水管１４はボトルトラップ型の排水ホッパー１００を介して洗面器１０からの排水管１２へ接続されている。
【００１２】
図２は図１に示す電気温水器１１の分解斜視図である。
電気温水器１１は断面が楕円となる温水タンク２１を内蔵しており、この温水タンク２１には６００Ｗのシーズヒータ（図示せず）が内蔵されており、温水タンク２１に供給された水を約７５℃に加熱して貯えておく。
図１示す給水管１６が給水口２４に接続されることにより電気温水器１１へは水が供給される。この供給された水は減圧弁及び逆止弁（図示せず）を経て温水タンク２１の底面へ流入する。そして、温水タンク２１内で加熱されて貯えられた湯は、温水タンク２１の上面から出湯口２２へ導かれ、図１に示す給湯管２０によって水栓１３へ供給される。なお、給水口２４へ供給された水の一部は温水温水タンク２１の手前でバイパスされて出水口２３へ供給されるよう構成されており、出水口２３は出水管１９によって水栓１３へ供給される。
【００１３】
温水タンク２１や内部配管や温度制御に使用される電装部は底面ケーシング５１と背面ケーシング５２と上面ケーシング５３から成る取付けケーシングに固定されている。
【００１４】
その取付けケーシングの斜視図を図３に示す。底面ケーシング５１と背面ケーシング５２と一枚の金属板をプレス成型することによって構成されており、背面ケーシング５２の上縁に金属板から成る上面プレート５３ａが固定されており、その上面プレート５３ａには樹脂製の上面ケーシング５３が固定されている。具体的には上面ケーシング５３の四隅に設けられたネジ孔２７にネジ２７ａを差し込んで固定している。この上面プレート５３ａ及び上面ケーシング５３を挟み込んで出湯口２２，出水口２３、給水口２４，膨張水継手２８が取り付けられている。これら出湯口２２，出水口２３、給水口２４，膨張水継手２８は外部配管との接続口が水平方向を向くエルボ形状をしており、しかも接続口の水平面内における向きが自由に向けられるように回転可能に取り付けられている。
【００１５】
出湯口２２，出水口２３、給水口２４の取付け形態は略同じであるため、出湯口２２の取付け構造を図６に基づいて説明する。この図６は図２におけるＸ−Ｘ断面を示す。出湯口２２はエルボ形状である金属製の出湯口本体２２ａと、この出湯口本体２２ａを回転可能に保持するよう上面プレート５３ａの裏面に位置する金属製の受け部材２２ｂと、上面ケーシング５３の表面おいて出湯口本体２２ａの周囲に嵌り込んだ金属製のフランジ部材２２ｃとから構成されており、ビス２２ｄによって、フランジ部材２２ｃと受け部材２２ｂとが、上面ケーシング５３と上面プレート５３ａとを挟み込むように固定されている。なお、出湯口本体２２ａと受け部材２２ｂとの間は２重のＯリング２２ｅを設けて水密性を確保している。ここで、上面ケーシング５３は樹脂製であるが、金属性の上面プレート５３ａが裏面にあり、この金属性の上面プレート５３ａと金属性のフランジ部材２２ｃとで上面ケーシング５３を挟み込むことにより、ビスの締め付け力を高め、フランジ部材２２ｃの裏面を上面ケーシング５３に強く押付けることにより所望のシール力を得て、上面ケーシング５３の表面からの水浸入を防止するように構成されている。
【００１６】
取付けケーシングの左右側面には側面カバー５４が固定される。また、前面には保護パネル５５が固定される。この保護パネル５５には、水抜き栓，バイメタルスイッチ、逃がし弁（何れも図示せず）を操作可能なように開口ば設けられている。そして、保護パネル５５及び側面カバー５４の前面側を覆うように前面カバー５６が取付けられ、上面ケーシング５３から突出している出湯口２２，出水口２３、給水口２４，膨張水継手２８を覆うように上面カバー５７が取り付けられる。なお、これら前面カバー５６及び上面カバー５７は簡単に着脱できるよう、爪部の弾性変形による嵌め込みにより取り付けられている。
【００１７】
図４は電気温水器１１の内観図である。即ち、前面カバー５６と上面カバー５７とを取り外した状態を示す。また、図５は図３のＡ−Ａにおける上面ケーシングの断面図である。
【００１８】
上面ケーシング５３には集水部３０が形成されている。この集水部３０は下方（図４のＢ方向）に向けて窪んだ水受けトレイ形状をしており、給水口２４、出水口２３、出湯口２２の外部配管の接続口を含む水平領域に形成されている。集水部３０の底面部３１は周囲に比べて一段低くなっている。そして、底面部３１は前方（図４におけるＡ方向）へ向かって緩やかに下り勾配となっており、その前端にはリブ３３が形成されている。リブ３３には切欠き３４が形成されている。なお、集水部３０の底面部３１の周囲は傾斜面３２となっている。
【００１９】
次に、集水部３０の機能について説明する。メンテナンスの際に給水口２４、出水口２３、出湯口２２に接続された外部配管（給水管１６，出水管１９、出湯管２０）を外した際に、これら外部配管又は給水口２４、出水口２３、出湯口２２の残水が集水部３０に流出する。この集水部３０に流出した水は底面部３１の勾配に従って前端側に流れ、そこに設けられたリブ３３の切欠き３４から流出して保護パネル５５の表面を鉛直下方に流れて排出される。このように残水が集水部３０の範囲に限定され、その他には流れ出ないので、ネジ孔２７や上面ケーシング５３と側面カバー５４との接合部といった隙間にまで水が至らない。従って、これらネジ孔２７や上面ケーシング５３と側面カバー５４との接合部にはシール部材を設ける必要がなく、簡単な構造とすることができ、電気温水器１１のコンパクト化を図ることができる。
【００２０】
なお、下り勾配により集水部３０の底面部３１において、給水口２４、出水口２３、出湯口２２が突出している近傍には水が滞留しないようになっている。従って、これら給水口２４、出水口２３、出湯口２２の周囲のシールが破壊されたとしても、そこから水が浸入してしまう可能性は小さい。
【００２１】
また、集水部３０は給水口２４、出水口２３、出湯口２２の接続口を含む周りに配置しているため、給水口２４、出水口２３、出湯口２２を回転させた場合でも上面ケーシング５３全体に残水が広がってしまうことを防止できる。
【００２２】
また、膨張水継手２８の周囲にも周囲よりも一段低く形成されており、その底面部３１ａは給水口２４側に向けて下り勾配となっており、膨張水継手２８とサブ排水管１４との接続を外した際の残水を前記と同様に切欠き３４から排出させるように構成されている。
【００２３】
なお、保護カバー５５の切欠き３４に対応する位置に上下に延びるリブを設け、切欠き３４から保護カバー５５の前面を流下する水の流れをガイドするようにしても良い。このリブは前面カバー５６の裏面に設けておき、保護カバーと当接して水の流れをガイドするように構成しても良い。
【図面の簡単な説明】
【００２４】
【図１】本発明に関わる電気温水器の施工形態。
【図２】図１に示す電気温水器の分解斜視図。
【図３】図２における取付けケーシングの斜視図。
【図４】本発明に関わる電気温水器の内観図。
【図５】図３のＡ−Ａ線における上面ケーシングの断面図。
【図６】図２のＸ−Ｘ線における出湯口の断面図。
【符号の説明】
【００２５】
１１・・・電気温水器
２１・・・温水タンク
２２・・・出湯口
２３・・・出水口
２４・・・給水口
３０・・・集水部
３１・・・底面部
３２・・・傾斜部
３３・・・リブ
３４・・・切欠き
５３・・・上面ケーシング
【図１】
2008057928.tif 000003
【図２】
2008057928.tif 000004
【図３】
2008057928.tif 000005
【図４】
2008057928.tif 000006
【図５】
2008057928.tif 000007
【図６】
2008057928.tif 000008